(57)【要約】【課題】成分測定装置において、筐体を片手で把持した状態で測定チップを簡単に取り外す。【解決手段】成分測定装置（血糖値測定装置）１０は、血糖値を測定する測定部３０と、該測定部３０を保持する筐体１２と、該測定部３０に着脱可能に装着される測定チップ８４とを有する。筐体１２は、測定チップ８４に当接して該測定チップ８４を押し出すイジェクト部材３６が接続されるパネル１８を備える。そして、パネル１８を筐体１２に対し相対的にスライドさせることで、イジェクト部材３６が測定チップ８４を押し出し、測定部３０から測定チップ８４が取り外される。【選択図】図７
2013011565.tif 000002
【特許請求の範囲】
【請求項１】
体液に含まれる所定成分を測定する測定部と、前記測定部を保持する筐体と、前記測定部に着脱可能に装着され前記体液を収容する試験具と、前記試験具を離脱するために該試験具に対し進退移動自在なイジェクト部と、測定結果を表示する表示部と、を有する成分測定装置であって、
前記筐体は、前記表示部を視認するための透過部を有するとともに前記イジェクト部に接続される可動部と、
前記測定部を支持する固定部と、を備え、
前記可動部を前記固定部に対し相対的にスライドさせることで前記イジェクト部を前進移動させ、該イジェクト部の移動作用下に前記測定部に装着されている前記試験具を離脱させることを特徴とする成分測定装置。
【請求項２】
請求項１記載の成分測定装置において、
前記表示部は、前記固定部の内部において、前記可動部を臨むように配設され、前記測定結果を表示する表示画面を有し、
前記透過部は、前記可動部が前記所定成分の測定を行う際に位置する原点位置にあるとき、前記表示画面に重なり該表示画面を視認可能とするように配置されていることを特徴とする成分測定装置。
【請求項３】
請求項１又は２記載の成分測定装置において、
さらに、前記筐体の端部に着脱自在に装着され、前記測定部を覆うキャップを有し、
前記キャップは、前記可動部のスライドによって前記筐体から離脱されることを特徴とする成分測定装置。
【請求項４】
請求項１〜３のいずれか一項に記載の成分測定装置において、
前記可動部は、前記筐体の長手方向の全長に対し少なくとも半分以上の長さ延在するパネルによって構成され、
前記固定部は、前記パネルを前記長手方向にスライド自在に取り付けるパネル取付部を有することを特徴とする成分測定装置。
【請求項５】
請求項４記載の成分測定装置において、
前記固定部の内部には、当該成分測定装置を操作する操作部が前記パネルを臨むように配設され、
前記パネルは、前記所定成分の測定を行う際に位置する原点位置において前記操作部に当接可能であり且つ該パネルと共にスライドする押ボタンを有することを特徴とする成分測定装置。
【請求項６】
請求項１〜３のいずれか一項に記載の成分測定装置において、
前記可動部は、前記筐体の上部を構成し、該筐体の長手方向の全長に対し少なくとも半分以上の長さを有する上側筐体を備え、
前記固定部は、前記筐体の下部を構成するとともに、前記上側筐体を前記長手方向にスライド自在に取り付ける下側筐体を有することを特徴とする成分測定装置。
【請求項７】
請求項６記載の成分測定装置において、
前記上側筐体には、前記所定成分の測定を駆動制御する回路を備えた基板と、前記表示部と、当該成分測定装置を操作する操作部とが取り付けられ、該上側筐体と共にスライドすることを特徴とする成分測定装置。
【発明の詳細な説明】
【技術分野】
【０００１】
本発明は、体液中の所定成分を測定する成分測定装置に関する。
【背景技術】
【０００２】
従来から、血液や尿等の体液中の生体成分を検出して、その成分量や性質等を測定する成分測定装置が知られている。
【０００３】
例えば、特許文献１には、血糖値を計測する計測表示器（成分測定装置）が開示されている。特許文献１に開示されている成分測定装置は、筐体の先端部に設けられたセンサ取付構造によってセンサユニット（試験具）を保持し、試験具内の流入部に接触した血液を検体保留部に流入させ、端子を介して該血液の血糖値を計測して、その計測結果を表示する。
【先行技術文献】
【特許文献】
【０００４】
【特許文献１】特開２００５−４３１１６号公報
【発明の概要】
【発明が解決しようとする課題】
【０００５】
さて、特許文献１に開示されている成分測定装置では、血糖値の計測が終了すると、筐体の先端側上部（センサ取付構造の上部）に設けられたスライダーを指で押し出してスライドすることにより、センサユニット（試験具）をセンサ取付構造から取り外す構成となっている。この被測定部の取外時には、通常、使用者が筐体を片手で把持した状態で、該片手の指（例えば、親指）をスライダーに当ててスライド操作を実施する。
【０００６】
しかしながら、使用者の手のサイズが小さい場合は、筐体を把持したままの姿勢ではスライダーに指が届き難い、又は指が届いたとしてもスライダーのスライド操作がしづらいという不都合が生じる。この場合、使用者が筐体をつかんだ後、指をスライダーの位置に合わせるために筐体をつかみ直すことが多くなるので、使い勝手（操作感）が悪くなる。
【０００７】
また、スライダーを単純に大きくしても、筐体の同一面に配置される表示画面と干渉することになるため、その配設状態には制限が生じる。仮に、スライダーを大きくすることに合わせて表示画面を小さくすると、測定結果等の視認において、目の不自由な人が多い糖尿病患者にとって大きな不都合となる。
【０００８】
本発明は、上記の事情に鑑みてなされたものであり、使用者の手のサイズに影響を受けずに、また筐体を持ち直すことなく、筐体を片手で把持した瞬間の状態で試験具を簡単に取り外すことができ、これにより装置の使い勝手を向上することができる成分測定装置を提供することを目的とする。
【課題を解決するための手段】
【０００９】
前記の目的を達成するために、本発明は、体液に含まれる所定成分を測定する測定部と、前記測定部を保持する筐体と、前記測定部に着脱可能に装着され前記体液を収容する試験具と、前記試験具を離脱するために該試験具に対し進退移動自在なイジェクト部と、測定結果を表示する表示部と、を有する成分測定装置であって、前記筐体は、前記表示部を視認するための透過部を有するとともに前記イジェクト部に接続される可動部と、前記測定部を支持する固定部と、を備え、前記可動部を前記固定部に対し相対的にスライドさせることで前記イジェクト部を前進移動させ、該イジェクト部の移動作用下に前記測定部に装着されている前記試験具を離脱させることを特徴とする。
【００１０】
上記によれば、表示部を視認するための透過部を有するとともにイジェクト部に接続される可動部を備えることで、使用者の手のサイズが小さい場合でも筐体を把持している片手の指を透過部（又は可動部の他の箇所）に押し当てて、可動部を容易にスライドさせることができる。これにより、可動部を固定部に対し相対的にスライドさせてイジェクト部を進退移動させ、該イジェクト部により測定部に装着されている試験具を簡単に取り外すことができる。すなわち、使用者の手のサイズに影響を受けずに、筐体をつかんだ状態のまま持ち直すことなくイジェクト操作（試験具の離脱）が可能となり、成分測定装置の使い勝手を向上することができる。
【００１１】
また、従来の装置では、単にイジェクタを大きくすると、表示部の面積を小さくせざるを得なかったが、本発明の上記構成によれば、透過部を有する可動部を前記イジェクト操作に利用することで、表示部の面積を小さくすることなく、試験具を離脱させることができるため、測定結果等の視認性の向上が可能となり、例えば、目の不自由な人が多い糖尿病患者でも取扱が容易な装置とすることができる。
【００１２】
ここで、前記表示部は、前記固定部の内部において、前記可動部を臨むように配設され前記測定結果を表示する表示画面を有し、前記透過部は、前記可動部が前記所定成分の測定を行う際に位置する原点位置にあるとき、前記表示画面に重なり該表示画面を視認可能とするように配置されているとよい。
【００１３】
このように、可動部が所定成分の測定を行う原点位置にある状態で、透過部が表示画面に重なることで、使用者に確実に測定結果を視認させることができる。
【００１４】
さらに、前記筐体の端部に着脱自在に装着され、前記測定部を覆うキャップを有し、前記キャップは、前記可動部のスライドによって前記筐体から離脱されるようにしてもよい。
【００１５】
このように、測定部を覆うキャップを可動部のスライドによって筐体から離脱させる構成とすることで、筐体を把持している一方の手（片手）によってキャップを取り外すことができる。このため、他方の手によって取り外したキャップを容易に受け取ることが可能となり、キャップを落として失ってしまう等の不都合を低減することができる。
【００１６】
また、前記可動部は、前記筐体の長手方向の全長に対し少なくとも半分以上の長さ延在するパネルによって構成され、前記固定部は、前記パネルを前記長手方向にスライド自在に取り付けるパネル取付部を有する構成とすることができる。
【００１７】
このように、固定部がパネルを長手方向にスライド自在に取り付けるパネル取付部を有することで、従来から成分測定装置に取り付けられているパネル（例えば、表示画面等を保護するためのカバー部材）をそのまま利用することができる。したがって、試験具を取り外すための部材（例えば、特許文献１のスライダー等）を設ける必要がなく、装置の製造コスト等を抑えることができる。また、試験具を離脱させるパネルが筐体の長手方向の全長に対し少なくとも半分以上の長さ延在していることで、使用者が筐体を片手で把持した状態で、パネルを容易にスライドさせることができる。
【００１８】
この場合、前記固定部の内部には、当該成分測定装置を操作する操作部が前記パネルを臨むように配設され、前記パネルは、前記所定成分の測定を行う際に位置する原点位置において前記操作部に当接可能であり、且つ該パネルと共にスライドする押ボタンを有することが好ましい。
【００１９】
このように、パネルが押ボタンを有することで、成分の測定時に表示画面を確認しつつ押ボタンを容易に操作することができる。また、押ボタンをパネルと共にスライドさせることで、該パネルのスライド時に押ボタンが邪魔となることがない。
【００２０】
さらに前記可動部は、前記筐体の上部を構成し、該筐体の長手方向の全長に対し少なくとも半分以上の長さを有する上側筐体を備え、前記固定部は、前記筐体の下部を構成するとともに、前記上側筐体を前記長手方向にスライド自在に取り付ける下側筐体を有していてもよい。
【００２１】
このように、可動部が筐体の上部を構成する上側筐体を有し、固定部が筐体の下部を構成する下側筐体を有することで、筐体の上部を全体的にスライドすることが可能となり、スライド操作をより容易に行うことができる。すなわち、上側筐体の何れの箇所に指を押し当てても、該上側筐体を容易にスライドさせることができる。
【００２２】
この場合、前記上側筐体には、前記所定成分の測定を駆動制御する回路を備えた基板と、前記表示部と、当該成分測定装置を操作する操作部とが取り付けられ、該上側筐体と共にスライドするように構成すると好適である。
【００２３】
このように、上側筐体と共に、基板、表示部及び操作部がスライドすることで、上側筐体のスライドによって、例えば、基板、表示部及び操作部の配設位置がずれる等の不具合をなくすことができる。
【発明の効果】
【００２４】
本発明によれば、使用者の手のサイズに影響を受けずに、また筐体を持ち直すことなく、筐体を片手で把持した瞬間の状態で試験具を簡単に取り外すことができ、これにより装置の使い勝手を向上することができる。
【図面の簡単な説明】
【００２５】
【図１】第１実施形態に係る血糖値測定装置の全体構成を示す斜視図である。
【図２】図１の血糖値測定装置を示す分解斜視図である。
【図３】図１のＩＩＩ−ＩＩＩ線の断面図である。
【図４】図１のＩＶ−ＩＶ線の断面図である。
【図５】図３の血糖値測定装置の測定部を示す拡大断面図であり、図５Ａはキャップの装着状態を示す図であり、図５Ｂはキャップの離脱状態を示す図である。
【図６】図３の血糖値測定装置の測定チップの着脱を示す拡大断面図であり、図６Ａは測定チップの装着状態を示す図であり、図６Ｂは測定チップの離脱状態を示す図である。
【図７】血糖値測定装置から測定チップが離脱された状態を示す斜視図である。
【図８】第２実施形態に係る血糖値測定装置の全体構成を示す斜視図である。
【図９】図８の血糖値測定装置を示す一部分解斜視図（断面図）である。
【図１０】図８のＸ−Ｘ線の断面図である。
【図１１】図８のＸＩ−ＸＩ線の断面図である。
【図１２】図８の血糖値測定装置に対する測定チップの着脱を示す説明図（断面図）であり、図１２Ａは測定チップの装着状態を示す図であり、図１２Ｂは測定チップの離脱状態を示す図である。
【発明を実施するための形態】
【００２６】
以下、本発明に係る成分測定装置について好適な実施の形態（第１及び第２実施形態）を挙げ、添付の図面を参照して詳細に説明する。
【００２７】
本発明の説明では、成分測定装置として、血液中のグルコース濃度（血糖値）を測定する血糖値測定装置について詳述する。この血糖値測定装置は、使用者（医師や看護師、或いは糖尿病患者等）が、穿刺部位から滲出した血液を採取して血糖値を測定し、その血糖値の測定データを管理する装置である。なお、成分測定装置は、本血糖値測定装置に限定されないことは勿論である。
【００２８】
〔第１実施形態〕
図１は、第１実施形態に係る血糖値測定装置（成分測定装置）１０の全体構成を示す斜視図であり、図２は、図１の血糖値測定装置１０を示す分解斜視図であり、図３は、図１のＩＩＩ−ＩＩＩ線の断面図であり、図４は、図１のＩＶ−ＩＶ線の断面図である。第１実施形態に係る血糖値測定装置１０は、図１に示すように、人が片手で持ち易いように、細長で上下に扁平なスティック状に形成された筐体１２を備える。
【００２９】
なお、以下の説明では、図１における筐体１２の幅方向（短手方向）をＸ方向、筐体１２の延在方向（長手方向）をＹ方向、筐体１２の高さ方向をＺ方向とも呼ぶ。また、筐体１２の前方（先端）をＹ１方向、筐体１２の後方（基端）をＹ２方向、血糖値測定装置１０を先端側から見て右方をＸ１方向、左方をＸ２方向、上方をＺ１方向、下方をＺ２方向とも呼ぶ。なお、これらの方向は説明の便宜上のものであり、血糖値測定装置１０は任意の向きで使用可能であることは勿論である。
【００３０】
血糖値測定装置１０の筐体１２は、長手方向（Ｙ方向）に所定長さ延在する上ケース１４と、該上ケース１４と同じ長さでＹ方向に延在する下ケース１６と、上ケース１４と同じ長さでＹ方向に延在し、該上ケース１４の上面を覆うパネル１８を有する。この筐体１２は、上ケース１４と下ケース１６を上下方向（Ｚ方向）に重ね合わせることで固定部１７を構成し、該固定部１７に対する可動部としてパネル１８を、上ケース１４の上面にスライド自在に取り付けることで組み立てられる。
【００３１】
上ケース１４の上面に取り付けられるパネル１８は、Ｙ方向中央部の略全面を覆う透過部２０と、該透過部２０を囲うとともに先端方向及び基端方向に延在する周辺部２１とを備える。さらに、透過部２０よりも基端側（Ｙ２方向側）の周辺部２１には、押ボタン２２が設けられ、透過部２０の先端側（Ｙ１方向側）の周辺部２１には複数のリブ２４が設けられている。
【００３２】
透過部２０は、透明な樹脂材からなるパネル１８において、色材が塗られて意匠面が形成された周辺部２１に対し、色材が塗られていない透明部分にあたる。この透過部２０の内側（上ケース１４の内側）には、血糖値測定装置１０によって測定された測定結果（例えば、血糖値）や操作状態等を表示する液晶ディスプレイ２６（表示部：図２参照）が配設されている。
【００３３】
すなわち、透過部２０は、液晶ディスプレイ２６の表示画面２６ａからの光を透過することで、使用者に表示画面２６ａの視認を可能としている。本発明に係る血糖値測定装置１０では、筐体１２の中央部分の略全面が透過部２０によって構成されることにより、小型化された血糖値測定装置１０であっても、比較的大きな表示画面２６ａを搭載することができ、測定結果等の視認性を向上させることができる。
【００３４】
一方、押ボタン２２は、可撓性を有する弾性部材（例えば、ゴム等）からなる平面視で円形の部材である。押ボタン２２は、図示しない周辺部分がパネル１８に連設されている。すなわち、押ボタン２２は、使用者の操作（押圧）によってＺ２方向に移動し、使用者が押圧を解除すると周辺部分の弾性力によって自動的に元の位置に復帰するように構成されている。
【００３５】
また、先端側に設けられているリブ２４は、Ｘ方向に延在するとともに、Ｙ方向に複数並べて設けられている。このリブ２４は、パネル１８をスライドさせる際に指を宛がったときのすべり止めとして機能することが可能であり、さらにパネル１８のスライド操作時にＺ２方向にかかる応力（押圧力）を受ける補強部材としての役割も果たしている。本実施形態において、パネル１８は可動部として機能する。
【００３６】
また、筐体１２のＹ方向両端部には、それぞれキャップ２８が取り付けられる。これらのキャップ２８は、血糖値測定装置１０を使用していない時に、筐体１２の先端部に露出している測定部３０（図２参照）と、筐体１２に基端部に設けられているコンピュータ接続用の接続端子３２（図２参照）、例えば、ＵＳＢ（Ｕｎｉｖｅｒｓａｌ  Ｓｅｒｉａｌ  Ｂｕｓ）を外部環境（例えば、埃や水滴等）から保護する機能を有している。
【００３７】
図２に示すように、上ケース１４と下ケース１６によって構成される内部空間には、血液成分の測定を行う内部機構として、先端側から順に、先端ブロック３４、イジェクト部材（イジェクト部）３６、測光ブロック３８及び制御系基板４０等が収容される。先端ブロック３４は、上ケース１４と下ケース１６の内周面に嵌め込まれることで、筐体１２の先端部に固定される。イジェクト部材３６は、測光ブロック３８の前部に取り付けられ、該測光ブロック３８が先端ブロック３４に装着固定されることにより、先端ブロック３４と測光ブロック３８の間に介在するようになる（図３参照）。制御系基板４０は、筐体１２の長手方向に沿って延在し、その上面には液晶ディスプレイ２６と操作部４２が実装されている。
【００３８】
筐体１２を構成するパネル１８は、制御系基板４０の液晶ディスプレイ２６及び操作部４２に対向する位置に上記の透過部２０及び押ボタン２２を備えている。また、パネル１８の先端側の下面には、Ｚ２方向に突出する一対（２本）の突起４４（図４参照）が設けられており、この一対の突起４４は、下端部がイジェクト部材３６に接続される。すなわち、第１実施形態に係る血糖値測定装置１０では、上ケース１４の上面を覆うパネル１８をスライド操作することにより、一対の突起４４を介して、イジェクト部材３６を進退移動させる構成となっている。
【００３９】
このため、上ケース１４の上部側には、パネル１８がスライド自在に取り付けられるパネル取付部４６が設けられている。さらに、上ケース１４は、このパネル取付部４６から斜め下方向に延びる一対の上ケース側部４８を有している。
【００４０】
パネル取付部４６は、正面断面視（図４参照）で略凹形状に形成された凹部５０と、この凹部５０の底面に形成された表示画面用窓５２、揺動部５４及び長孔５６とを有する。凹部５０の底面の幅は、パネル１８の幅と略一致し、該凹部５０の底面は、先端から基端にかけて平坦状に延在している。
【００４１】
表示画面用窓５２は、凹部５０の底面においてＹ方向中央部分の略全面を切り欠いて構成されたものであり、パネル取付部４６に取り付けられるパネル１８の透過部２０に重なる位置に形成されている。上述したように、上ケース１４の内側には液晶ディスプレイ２６が配設されており、表示画面用窓５２は、液晶ディスプレイ２６の表示画面２６ａを上面側に露出させる機能を有している。
【００４２】
揺動部５４は、凹部５０の底面において表示画面用窓５２より基端側（Ｙ２方向側）に設けられている。この揺動部５４は、押ボタン２２との対向位置に円板５４ａを有し、この円板５４ａが弾性変形可能な連結部を介して上ケース１４に連結されることで、Ｚ方向に揺動可能となっている。また、揺動部５４（円板５４ａ）の下面側には、ボタン突出部５８（図３参照）が形成されている。このボタン突出部５８は、制御系基板４０の上面に設けられている操作部４２に対し、その頂部が所定間隔離間するように対向配置される。すなわち、揺動部５４は、押ボタン２２の操作（押圧）にともないＺ２方向に押圧され、ボタン突出部５８を操作部４２に当接させることで、該操作部４２を操作する。また、揺動部５４は、操作解除にともない、連結部の弾性力によって円板５４ａを元の位置に復帰させる。
【００４３】
長孔５６は、凹部５０の底面の表示画面用窓５２より前方側（Ｙ１方向側）に、Ｘ方向に２つ並んで穿設されている。一対の長孔５６は、パネル１８の突起４４の外径に略一致する幅を有し、筐体１２の組立状態において一対の突起４４が挿通される。また、一対の長孔５６は、筐体１２の長手方向（Ｙ方向）に所定長さ延設し、一対の突起４４は、該長孔５６により規制された範囲内で上ケース１４の長手方向に沿って移動可能となっている。
【００４４】
さらに、パネル取付部４６の凹部５０には、図４に示すように、幅方向内側に突出するパネル用フック部６０が両側面の上部に形成されている。このパネル用フック部６０はＹ方向（図３参照）に延設されている。一方、パネル１８の幅方向両端部の上面には、中央部分の板厚よりも薄い板厚からなる係合用段差部６２が形成されている。パネル１８は、この係合用段差部６２がパネル用フック部６０に係合するようにパネル取付部４６に取り付けられる。すなわち、パネル１８は、係合用段差部６２がパネル用フック部６０に引っ掛かることでＺ１方向への抜けが防止されるとともに、凹部５０内をＹ方向にガイドされる。
【００４５】
また、上ケース１４の幅方向両側に連設される上ケース側部４８は、パネル取付部４６の両側から円弧状に形成されて斜め下方に延在している。この上ケース側部４８の内側面には溝部６４が形成されており、この溝部６４には下ケース１６の組付突出部６６が引っ掛けられる。
【００４６】
筐体１２の下ケース１６は、図２〜図４に示すように、前記組付突出部６６が立設される一対の下ケース側部６８と、これら一対の下ケース側部６８の下端部側に連結する平坦状の下面部７０とを有する。
【００４７】
下ケース側部６８は、上ケース側部４８と略対称となるように、下面部７０の幅方向両側から円弧状に形成されて斜め上方向に延在している。組付突出部６６は、長手方向に沿って下ケース側部６８の先端部、中央部及び後端部の３箇所（左右で計６箇所）から上方に向かって突出形成されている。組付突出部６６は、溝部６４に引っ掛かるフック６６ａを上端部に備える。筐体１２は、これら各フック６６ａが溝部６４にそれぞれ係合することで、上ケース１４と下ケース１６が強固に組付けられる。
【００４８】
下ケース１６の下面部７０は、長手方向に平坦状に延在し、Ｙ方向の略中央部には、電池が挿通可能な電池用窓７２が形成されている。この電池用窓７２には電池蓋７２ａが嵌め込まれる。血糖値測定装置１０は、制御系基板４０の下面に電池収納部７４が設けられており、該電池収納部７４にはボタン型電池７４ａが収容される。この際、電池蓋７２ａを外し、電池用窓７２を通してボタン型電池７４ａを収容する。なお、血糖値測定装置１０を駆動する電源としては、ボタン型電池７４ａ以外にも、丸型乾電池や角型乾電池、又は二次電池や外部電源に接続する電源コード等を適用してもよいことは勿論である。
【００４９】
図５は、図３の血糖値測定装置１０の測定部３０を示す拡大断面図であり、図５Ａはキャップ２８の装着状態を示す図であり、図５Ｂはキャップ２８の離脱状態を示す図である。図６は、図３の血糖値測定装置１０の測定チップ８４の着脱を示す拡大断面図であり、図６Ａは測定チップ８４の装着状態を示す図であり、図６Ｂは測定チップ８４の離脱状態を示す図である。
【００５０】
図５に示すように、測定部３０は、血液を光学的に検出する機構を収納する先端ブロック３４を有し、この先端ブロック３４は、筐体１２（上ケース１４及び下ケース１６）の先端開口部に装着固定される。先端ブロック３４は、基端側において筐体１２に固定される固定筒部７６と、該固定筒部７６の前面から突出する円筒部７８とを備える。
【００５１】
固定筒部７６は、筐体１２の内周面に略一致する有底筒状に形成されている。すなわち、上面及び下面が平坦状に形成され、両側面が上ケース側部４８と下ケース側部６８の内側面に沿う円弧状に形成されている。また、図２に示すように、固定筒部７６の側面のＹ方向中間部には、係止溝８０が刻設されており、この係止溝８０には、上ケース１４及び下ケース１６の内周面に形成されている係止凸部８２が嵌め込まれる。先端ブロック３４は、筐体１２に組付ける際に、係止溝８０に係止凸部８２が嵌合されることで、脱落が防止された状態となって筐体１２に固定される。
【００５２】
先端ブロック３４の円筒部７８は、先端方向（Ｙ１方向）に所定長さ突出して開口しており、この開口部７８ａには測定チップ８４（試験具）が着脱自在に取り付けられる。また、円筒部７８は、開口部７８ａを囲む内壁が先端部から後方に向かって徐々に縮径するテーパ形状に形成されるとともに、所定箇所において拡径することで円筒部側段差部７８ｂが形成されている。
【００５３】
円筒部７８に取り付けられる測定チップ８４は、図６に示すように、円板状に形成されるベース部８６と、このベース部８６の前面からＹ１方向に突出するノズル８８と、ベース部８６の後面からＹ２方向に突出する係合部９０とを備える。ベース部８６は、その外径が円筒部７８の外径と略一致するように形成されている。ノズル８８は、ベース部８６の中心部から突出し、その中心軸に沿って先端面から後面に貫通する採取孔８８ａが形成されている。
【００５４】
一方、測定チップ８４の係合部９０は、円筒部７８の開口部７８ａに係合する円筒形状に形成されている。この係合部９０には、後方に突出し弾性的に揺動可能な４つの係止爪９０ａが円周上に等間隔に形成されている。各係止爪９０ａは、測定チップ８４を取り付ける際に、円筒部７８内のテーパ形状を乗り越えて円筒部側段差部７８ｂに係合する。これにより、血糖値測定装置１０は、測定チップ８４を円筒部７８に保持することができる。
【００５５】
また、係合部９０の内側には、採取孔８８ａに連通する試験紙収容部９２が設けられている。この試験紙収容部９２には、血液を採取した際に血液中の成分と反応する発色試薬を担持した試験紙９４が収容される。血糖値測定装置１０は、この試験紙９４に測定光を照射して、試験紙９４からの反射光を受光することで血液成分の測定を行う。
【００５６】
図２〜図６に示すように、血糖値測定装置１０の測定部３０は、試験紙９４に染み込んだ血液成分（血糖値）を光学的に検出する部分である。この測定部３０は、先端ブロック３４、測光ブロック３８、光学系基板９６によって構成されている。先端ブロック３４は、上述したように筐体１２の先端部に取り付けられる部材であり、固定筒部７６内には測光ブロック３８が固定支持される。この先端ブロック３４は、例えば、ＡＳＢ樹脂やポリカーボネート等の合成樹脂によって成形される。
【００５７】
測光ブロック３８は、血液成分の検出を行う電子部品を実装した光学系基板９６を保持するとともに、血液成分の測定時に外光等を遮光する機能を有している。この測光ブロック３８は、先端ブロック３４と同じ材料で成形することができ、基端側において平板状に形成された基板保持部９８と、該基板保持部９８から先端方向に突出する導光部１００とを有している。
【００５８】
また、測光ブロック３８の内部には、２つの光路（測定光用光路１０２及び反射光用光路１０４）が幅方向に並んで貫通形成されている。このように、血糖値測定装置１０は、２つの光路１０２、１０４を測光ブロック３８に一体的に形成することで、部品点数を少なくすることができ、製造コストを低減することが可能となる。
【００５９】
測光ブロック３８の基板保持部９８は、後面が平坦状に形成されており、この後面には光学系基板９６が配置される。また、後面の中央部には、光学系基板９６を位置決めする位置決め突起９８ａが立設されている。この位置決め突起９８ａは、光学系基板９６を貫通し、光学系基板９６に実装される発光素子１０６と受光素子１０８の間に介在して、発光素子１０６から受光素子１０８への直接的な光の伝搬を阻止している。
【００６０】
一方、測光ブロック３８の導光部１００は、上下面が直線状で且つ両側面が円弧状の偏円筒体に形成されている。導光部１００の前面には２つの光路１０２、１０４が連通する導光部側開口部１００ａが形成され、この導光部側開口部１００ａ内にはレンズ（図示せず）が挿入保持される。測光ブロック３８に保持されるレンズは、２つの光路１０２、１０４に対応して測定光用レンズ及び反射光用レンズが並んで一体形成されたものを適用することができる。
【００６１】
光学系基板９６は、基板保持部９８の後面に配置可能な形状に形成されており、その略中央部には位置決め突起９８ａが挿通される。また、光学系基板９６は、２つの光路１０２、１０４の対向面に、測定光を出射する２つの発光素子１０６（第１の発光素子１０６ａ、第２の発光素子１０６ｂ）、及び反射光を受光する受光素子１０８が実装されている。
【００６２】
第１の発光素子１０６ａと第２の発光素子１０６ｂは、異なる波長の測定光を出射するために設けられる。発光素子１０６としては、例えば、所定波長の光を発光する発光ダイオード（ＬＥＤ）を適用することができる。また、受光素子１０８としては、例えば、フォトダイオード（ＰＤ）を適用することができる。基板保持部９８の後面に光学系基板９６を配設した状態では、発光素子１０６が測定光用光路１０２の基端側に、受光素子１０８が反射光用光路１０４の基端側にそれぞれ配置され、測光ブロック３８によって外部との遮光性が確保される。
【００６３】
この測光ブロック３８を先端ブロック３４に取り付けた状態では、先端ブロック３４の内周面と測光ブロック３８の外周面との間にクリアランス１１０が形成される。このクリアランス１１０には、イジェクト部材３６が摺動可能に配置される。
【００６４】
イジェクト部材３６は、先端側に形成される押出部１１２と、この押出部１１２からＹ２方向に延出する平板状の摺動プレート１１４とを有している。押出部１１２は、円筒形状のＸ２方向の側部が所定量切り欠かれた円弧状に形成され、その上部基端側には、摺動プレート１１４が連設される。
【００６５】
摺動プレート１１４は、中央部が長手方向に切り欠かれており、この切り欠き部１１４ａの後端にはバネ用突起１１６が形成されている。また、摺動プレート１１４後端には、パネル１８の一対の突起４４が嵌合される丸孔１１８が一対穿設されている。
【００６６】
このイジェクト部材３６は、バネ部材１２０が介装された状態で先端ブロック３４に取り付けられる。このため、先端ブロック３４の上部には、後方に突出するバネ配置突起１２１が設けられている。バネ部材１２０は、このバネ配置突起１２１に一端が嵌め込まれ、イジェクト部材３６のバネ用突起１１６に他端が嵌め込まれる。
【００６７】
測光ブロック３８とイジェクト部材３６を先端ブロック３４に配設した状態では、押出部１１２が測光ブロック３８の導光部１００の外周面（上下面及び右側面）上に配置される。また、イジェクト部材３６は、筐体１２の長手方向に摺動自在に配置されることになり、このイジェクト部材３６が摺動することで、押出部１１２が導光部１００の外周上（すなわち、クリアランス１１０）を進退移動する。測定チップ８４が先端ブロック３４に取り付けられている場合は、イジェクト部材３６の先端方向（Ｙ１方向）の移動により、押出部１１２が測定チップ８４の係止爪９０ａを押し出す。これにより、先端ブロック３４から測定チップ８４を取り外すことができる。
【００６８】
また、測光ブロック３８の後方には、長手方向に延在する制御系基板４０が配設されており、この制御系基板４０は、光学系基板９６に電気的に接続されるとともに、上述したように液晶ディスプレイ２６と操作部４２が上面に実装されている。
【００６９】
制御系基板４０には、プリントによって所定の配線回路が形成され、所定の処理を実行するためのマイクロコンピュータ、所定のプログラムが記憶されたＲＯＭやＲＡＭ等の記憶装置、及びその他の電子部品（能動素子、受動素子等）が実装されている（ともに図示せず）。発光素子１０６は、この制御系基板４０からの発光指示（制御信号）に基づき測定光を出射する。受光素子１０８は、発光素子１０６が出射して試験紙９４によって反射された反射光を受光し、制御系基板４０に対し検出信号を送信する。制御系基板４０に設けられているマイクロコンピュータは、この検出信号を受けて所定の処理を実施した後、血糖値を算出し、液晶ディスプレイ２６の表示画面２６ａに測定結果を表示する。
【００７０】
第１実施形態に係る血糖値測定装置１０は、基本的には以上のように構成されるものであり、次に血糖値測定装置１０による血液成分の測定について説明する。
【００７１】
血液成分を測定する場合、まず筐体１２の先端部に取り付けられているキャップ２８の取り外しが行われる。図５に示すように、筐体１２に取り付けられているキャップ２８は、パネル１８のスライド操作によって取り外すことができる。すなわち、片手で筐体１２を把持した状態で、パネル１８の上面を指で押圧し、該パネル１８を先端方向にスライドする。これにより、キャップ２８の基端側端部がパネル１８の先端部によって押され、キャップ２８が筐体１２から取り外される。
【００７２】
このように、測定部３０を覆うキャップ２８がパネル１８のスライドによって該筐体１２から取り外される構成とされていることで、筐体１２を把持している一方の手（片手）によってキャップ２８を取り外すことができる。なお、キャップ２８は、単純に筐体１２から先端方向に引き抜いて取り外してもよいことは勿論である。また、キャップ２８は、紐やヒンジなどの連結機構によって筐体１２に連結され、筐体１２から分離しないように構成されていてもよい。
【００７３】
キャップ２８の取り外し後は、使用者によりパネル１８の押ボタン２２が押圧されることで電源が入力される。この際、パネル１８は、透過部２０が液晶ディスプレイ２６の表示画面２６ａに対向するとともに、押ボタン２２が上ケース１４の揺動部５４に対向する原点位置に配置されている。このため、押ボタン２２は、上ケース１４の揺動部５４をＺ２方向に押圧することで、揺動部５４の下面側にあるボタン突出部５８を制御系基板４０の操作部４２に当接させる。血糖値測定装置１０は、この操作部４２からの操作信号に基づき、発光素子１０６の発光を開始する。操作部４２は主として電源スイッチとして機能する。
【００７４】
次に、先端ブロック３４の円筒部７８に測定チップ８４を装着し、測定対象者の血液を採取する。具体的には、指先を専用の穿刺器具（図示せず）で穿刺し、皮膚上に少量（例えば、０．３〜１．５μＬ程度）の血液を流出させる。そして、指先から流出した血液に、血糖値測定装置１０の先端に装着されている測定チップ８４のノズル８８先端を接触させる。
【００７５】
これにより、血液は、ノズル８８の先端から採取孔８８ａ内に取り込まれ、毛細管現象によって後端に吸引される。そして、試験紙収容部９２内に収容されている試験紙９４に染み込み、試験紙９４の径方向外側へ向かって広がっていく。この血液の展開と同時に、血液中のブドウ糖と試験紙９４に含まれている発色試薬とが反応を開始し、ブドウ糖の量に応じて試験紙９４が呈色する。
【００７６】
血糖値測定装置１０は発光素子１０６から測定光を出射している。この測定光は、測定光用光路１０２を通過し照射光用レンズに入射されて集光され試験紙９４に照射される。試験紙９４に照射された測定光は、試験紙９４によって反射され、反射光として反射光用レンズに入射されて集光される。そして、反射光は、反射光用光路１０４を通過し、受光素子１０８で受光され、その光量が検出される。これにより、血糖値測定装置１０は、この反射光量に基づき試験紙９４の呈色の度合いを測定する。そして、血液が試験紙９４に染み込んで反射光量が大きく変化した時点から計時を開始し、所定時間経過後の反射光量に基づいて血糖値が算出される。
【００７７】
さらに、血糖値測定装置１０による血糖値の測定では、第１の発光素子１０６ａと第２の発光素子１０６ｂの測定光が交互に出射される。そして、第１の発光素子１０６ａが照射する測定光によって発色試薬とブドウ糖との反応で生じた色素を検出し、ブドウ糖の量に応じた呈色濃度を測定する。また、第２の発光素子１０６ｂが照射する測定光によって赤血球を検出し、赤血球の赤色濃度を測定する。そして、呈色濃度から得られるグルコース値を赤色濃度から得られるヘマトクリット値を用いて補正し、血糖値を求めることができる。
【００７８】
測定された血糖値は、液晶ディスプレイ２６の表示画面２６ａに表示され、自然状態で原点位置にあるパネル１８の透過部２０を介して、使用者に測定結果を視認させることができる。
【００７９】
測定終了後は、図６Ｂに示すように、先端ブロック３４から測定チップ８４の取り外しが行われる。ここで、第１実施形態に係る血糖値測定装置１０は、上述したように、パネル１８の先端部に設けられている一対の突起４４が、上ケース１４の長孔５６を介して、イジェクト部材３６の丸孔１１８に嵌合されている。パネル１８が原点位置にある状態では、パネル１８の突起４４が長孔５６の後端部に当接しており、パネル１８及びイジェクト部材３６がバネ部材１２０によってＹ２方向に付勢されている。
【００８０】
使用者は、この原点位置からパネル１８を先端方向にスライドすることによって、バネ部材１２０を収縮させ、イジェクト部材３６を先端方向にスライドさせる。このスライドによって、イジェクト部材３６の押出部１１２が測定チップ８４の係止爪９０ａを前方に押し、測定チップ８４を取り外すことができる。
【００８１】
この場合、使用者は、筐体１２を片手で把持した状態で、該片手の指をパネル１８の上面のいずれかの箇所（透過部２０、周辺部２１）に押し当てて、この指によりパネル１８を適度に押圧しつつ、先端側に押し出すように操作することで、パネル１８をその突起４４が長孔５６の先端部に当接する前進位置までスライドさせることができる。血糖値測定装置１０は、このパネル１８のスライド操作によって、測定チップ８４を手に触れることなく、簡単且つ迅速に取り外すことができ、容易に廃棄処理を行うことができる。
【００８２】
測定チップ８４が先端ブロック３４から取り外され、使用者がパネル１８から指を放すと、イジェクト部材３６は、先端ブロック３４に取り付けられているバネ部材１２０の付勢力によってＹ２方向に付勢される。これにより、パネル１８とイジェクト部材３６は、一対の突起４４が長孔５６の後方端部に当接するまで、Ｙ２方向にスライドし、元の原点位置に復帰する。
【００８３】
また、パネル１８の先端方向のスライドにおいては、図７に示すように、透過部２０、周辺部２１及び押ボタン２２がパネル１８と一体的に移動する。このため、スライド時に、透過部２０や押ボタン２２が邪魔となることがない。
【００８４】
このように、第１実施形態に係る血糖値測定装置１０は、筐体１２の上面を覆うパネル１８をスライドすることで測定チップ８４を簡単に取り外すことができる。なお、第１実施形態に係る血糖値測定装置１０においてパネル１８は、筐体１２（上ケース１４と下ケース１６）の長手方向の全長に対し、少なくとも半分以上の長さ延在していればよい。パネル１８がこの長さであれば、使用者の手のサイズが小さい場合でも、パネル１８に指が充分に届くからである。すなわち、筐体１２を片手で把持した状態で、筐体１２の上面に取り付けられているパネル１８の何れかの箇所に指を押し当て、パネル１８を容易にスライドさせることができる。このため、使用者の手のサイズに影響を受けずに、筐体１２を把持したまま測定チップ８４を取り外すことが可能となり、血糖値測定装置１０の使い勝手を向上することができる。
【００８５】
また、従来の測定装置（例えば、特許文献１の計測表示器）は、イジェクタ（スライダー）が小さいため、指をイジェクタまで持っていくために装置を持ち直す必要があったが、本実施形態の血糖値測定装置１０では、パネル１８がイジェクト部材３６につながっているので、広い面積を有するパネル１８を押せばイジェクト操作（測定チップ８４の離脱）が可能であり、装置をつかんだ状態のまま持ち直すことなくイジェクト操作が可能である。さらに、単にイジェクタを大きくすると、液晶ディスプレイ２６（表示部）の面積を小さくせざるを得ないが、本実施形態のようにパネル１８とイジェクト部材３６を連結させ、パネル１８をイジェクト操作に利用することで、液晶ディスプレイ２６の面積を小さくする必要がなくなる。
【００８６】
なお、パネル１８の先端部分に形成された複数のリブ２４に指を押し当てて操作を行えば、パネル１８を一層容易にスライドさせることができることは勿論である。
【００８７】
また、血糖値測定装置１０は、表示画面２６ａを覆うパネル１８をスライドして測定チップ８４を取り外すため、従来から血糖値測定装置１０に取り付けられている表示画面保護用のパネルを利用して、測定チップ８４を取り外すことができる。すなわち、測定チップ８４を取り外すための部材（例えば、特許文献１のスライダー等）を設ける必要がなく、装置の製造コスト等を抑えることができる。
【００８８】
〔第２実施形態〕
図８は、第２実施形態に係る血糖値測定装置（成分測定装置）１０Ａの全体構成を示す斜視図であり、図９は、図８の血糖値測定装置１０Ａを示す一部分解斜視図であり、図１０は、図８のＸ−Ｘ線の断面図であり、図１１は、図８のＸＩ−ＸＩ線の断面図である。なお、以降の第２実施形態の説明において、第１実施形態に係る血糖値測定装置１０と同一の構成又は同一の機能を有する構成には、同一の符号を付し詳細な説明については省略する。
【００８９】
第２実施形態に係る血糖値測定装置１０Ａは、上ケース１４が下ケース１６に対して相対的にスライドする点で第１実施形態に係る血糖値測定装置１０（図１〜図７参照）とは異なる。
【００９０】
血糖値測定装置１０Ａは、第１実施形態と同様に、筐体１２として上ケース１４、下ケース１６及びパネル１８を有しているが、このパネル１８は上ケース１４に接着固定されている。すなわち、第２実施形態においては、下ケース１６（固定部）に対し、可動部１９を構成する上ケース１４とパネル１８が一体的にスライドすることで、測定チップ８４（及びキャップ２８）の離脱が行われる。
【００９１】
図８〜図１０に示すように、この上ケース１４には、該上ケース１４と共にスライドする部材として、制御系基板（基板）４０及び液晶ディスプレイ（表示部）２６が固定されている。この制御系基板４０には、操作部４２及び電池収納部７４等が実装されており、上ケース１４のスライドによってこれらの部材も一体的にスライドする。液晶ディスプレイ２６は上ケース１４の下面側にねじ止めされることで、パネル１８の透過部２０及び上ケース１４の表示画面用窓５２に対し表示画面２６ａが常時略一致するように構成することができる。したがって、上ケース１４をスライドした状態でも、表示画面２６ａ（図１０及び図１１参照）を使用者に視認させることができ、例えば、表示画面２６ａに測定チップ８４の離脱状態を表示させることもできる。
【００９２】
また、上ケース１４の先端部下面には、一対の突起４４が突出形成されている。この突起４４は、第１実施形態の突起４４と同様に、イジェクト部材３６に接続され、上ケース１４のスライドとともにイジェクト部材３６をスライド可能としている。
【００９３】
一方、下ケース１６には、測定部３０を構成する先端ブロック３４及び測光ブロック３８が固定支持される。先端ブロック３４と測光ブロック３８の間には、イジェクト部材３６が摺動自在に配置される。このイジェクト部材３６は、第１実施形態と同様に、摺動プレート１１４の後方側両端部に丸孔１１８（図８〜図１２中では図示せず）が形成されており、この丸孔１１８には上ケース１４の突起４４が嵌合固定される。
【００９４】
光学系基板９６と制御系基板４０は、フレキシブルケーブル１２２を介して互いに電気的に接続されている。このフレキシブルケーブル１２２は、制御系基板４０のスライドにともない柔軟に撓むことで、両基板４０、９６の接続を確保することができる。
【００９５】
図１１に示すように、筐体１２は、上ケース１４と下ケース１６の境界部分がスライド機構として形成されている。具体的には、上ケース１４の側部を形成する一対の上ケース側部４８は、正面断面視で、内周面の下端部寄りに矩形の谷部１２４と、該谷部１２４に連なる矩形の山部１２６を備えている。一方、下ケース１６の側部を形成する一対の下ケース側部６８には、組付突出部６６が立設されており、この組付突出部６６には、前記谷部１２４及び山部１２６に係合する係合山部１２８と係合谷部１３０が形成されている。すなわち、筐体１２を組み立てた状態（上ケース１４と下ケース１６を重ね合わせた状態）では、上ケース１４の谷部１２４に下ケース１６の係合山部１２８が係合し、上ケース１４の山部１２６に下ケース１６の係合谷部１３０が係合する。これにより、下ケース１６は、上ケース１４の抜けを防止しつつ、該上ケース１４をＹ方向にスライド自在とすることができる。
【００９６】
第２実施形態に係る血糖値測定装置１０Ａは、基本的には以上のように構成されるものであり、次に血糖値測定装置１０Ａの動作について説明する。図１２は、図８の血糖値測定装置１０Ａに対する測定チップ８４の着脱を示す説明図（断面図）であり、図１２Ａは測定チップ８４の装着状態を示す図であり、図１２Ｂは測定チップ８４の離脱状態を示す図である。
【００９７】
血糖値測定装置１０Ａは、血糖値の測定が終了すると、第１実施形態に係る血糖値測定装置１０と同様に、先端ブロック３４から測定チップ８４の取り外しが行われる。ここで、上ケース１４は、イジェクト部材３６がバネ部材１２０によって後方に付勢されることで、スライド操作前は原点位置に配置されている。
【００９８】
使用者は、この原点位置から上ケース１４を先端方向にスライドすることによって、バネ部材１２０を収縮しイジェクト部材３６を先端側にスライドさせる。このスライドにより、イジェクト部材３６の押出部１１２が測定チップ８４の係止爪９０ａに当接して前方に押し出し、測定チップ８４を取り外すことができる。
【００９９】
この場合、第１実施形態に係る血糖値測定装置１０と比較して、筐体１２の上側部分を全体的にスライドすることができるため、スライド操作をより容易に行うことができる。すなわち、下ケース１６を把持した状態で、上ケース１４の何れの箇所に対し指を押し当てても容易にスライドさせることができる。
【０１００】
このように、第２実施形態に係る血糖値測定装置１０Ａは、筐体１２の上ケース１４をスライドすることで測定チップ８４を容易に取り外すことができる。この場合においても、使用者の手のサイズに影響を受けずに、下ケース１６を片手で把持した状態で、上ケース１４を先端側にスライドさせることができる。このため、片手が無理な姿勢をとならず筐体１２を確実に把持した状態で、パネル１８をスライド操作することができる。
【０１０１】
また、上ケース１４と共に、液晶ディスプレイ２６、制御系基板４０及び操作部４２がスライドすることで、上ケース１４に対して液晶ディスプレイ２６、制御系基板４０及び操作部４２等の配設位置がずれる等の不具合をなくすことができる。
【０１０２】
なお、本発明は、上記の実施形態に限らず、本発明の要旨を逸脱することなく、種々の構成乃至工程を採り得ることは勿論である。例えば、血糖値測定装置１０、１０Ａは、血糖値の測定時における可動部のスライド動作を防止するスライドロック機構等を設けてもよい。
【符号の説明】
【０１０３】
１０、１０Ａ…血糖値測定装置        １２…筐体
１４…上ケース                      １６…下ケース
１７…固定部                        １８…パネル
１９…可動部                        ２０…透過部
２１…周辺部                        ２２…押ボタン
２４…リブ                          ２６…液晶ディスプレイ
２６ａ…表示画面                    ２８…キャップ
３０…測定部                        ３６…イジェクト部材
４０…制御系基板                    ４２…操作部
４４…突起                          ４６…パネル取付部
５６…長孔                          ８４…測定チップ
９４…試験紙                        １１８…丸孔
１２０…バネ部材                    １２２…フレキシブルケーブル
【図１】
2013011565.tif 000003
【図２】
2013011565.tif 000004
【図３】
2013011565.tif 000005
【図４】
2013011565.tif 000006
【図５】
2013011565.tif 000007
【図６】
2013011565.tif 000008
【図７】
2013011565.tif 000009
【図８】
2013011565.tif 000010
【図９】
2013011565.tif 000011
【図１０】
2013011565.tif 000012
【図１１】
2013011565.tif 000013
【図１２】
2013011565.tif 000014